(57)【要約】【課題】  家畜等の動物に防寒等の目的で着用させる動物用ジャケットについて、安全に動物の腹部側の保温性能を高める。【解決手段】  動物Ａの背部側から被せられて腹部側へ巻付けられるジャケット本体１を備えている。動物Ａの腹部に当てられる覆布２１と覆布２１の端部に取付けられジャケット本体１の上から動物Ａの背部に掛渡されて覆布２１を吊持する吊紐２２とからなるジャケット補助体２を備えている。ジャケット本体１には、ジャケット補助体２の吊紐２２が動物Ａの体長方向へずれるのを阻止する吊紐ストッパ３が取り付けられている。【選択図】    図１
2016131532.tif 000002
【特許請求の範囲】
【請求項１】
動物の背部側から被せられて腹部側へ巻付けられるジャケット本体を備えた動物用ジャケットにおいて、動物の腹部に当てられる覆布と覆布の端部に取付けられジャケット本体の上から動物の背部に掛渡されて覆布を吊持する吊紐とからなるジャケット補助体を備えたことを特徴とする動物用ジャケット。
【請求項２】
請求項１の動物用ジャケットにおいて、ジャケット本体にジャケット補助体の吊紐が動物の体長方向へずれるのを阻止する吊紐ストッパが取付けられていることを特徴とする動物用ジャケット。
【請求項３】
請求項２の動物用ジャケットにおいて吊紐ストッパは動物の背部付近に位置され人が手を差込める持手構造であることを特徴とする動物用ジャケット。
【請求項４】
請求項３の動物用ジャケットにおいて、吊紐ストッパはベルト状に形成され動物の体長方向へ配設されてジャケット本体に部分的に固着されていることを特徴とする動物用ジャケット。
【発明の詳細な説明】
【技術分野】
【０００１】
本発明は、家畜等の動物に防寒等の目的で着用させる動物用ジャケットに係る技術分野に属する。
【背景技術】
【０００２】
成長前の動物は、皮下脂肪層が薄く低温環境で低体温症を発症しやすい。このため、冬期等の低温環境では、動物に胴体部分を覆い、足，頭，尻尾等を露出させた格好となる動物用ジャケットを着用させて保温することが行われている。然しながら、仔牛など比較的大型の動物に対しては、背部側から被せて腹部側へ巻付ける着用構造とならざるを得ないことから、腹部側に隙間が形成されて保温が充分になされないという不具合がある。そこで、腹部側の保温性能の高い動物用ジャケットを開発することが要望されている。
【０００３】
従来、動物の腹部側の保温性能を高めることを指向した動物用ジャケットとしては、例えば、特許文献１に記載のものが知られている。
【０００４】
特許文献１には、動物の背部側から被せられて腹部側へ巻付けられるジャケット本体に面状発熱体が取付けられた動物用ジャケットが記載されている。
【０００５】
特許文献１に係る動物用ジャケットは、面状発熱体によって動物の腹部付近を積極的に加温することで、動物の腹部側の保温性能を高めるものである。
【先行技術文献】
【特許文献】
【０００６】
【特許文献１】特開２００６−２１１９３３号公報
【発明の概要】
【発明が解決しようとする課題】
【０００７】
特許文献１に係る動物用ジャケットでは、面状発熱体の温度管理を怠ると動物が低温火傷を発症するおそれがあるため、安全性の面から実用性に乏しいという問題点がある。
【０００８】
本発明は、このような問題点を考慮してなされたもので、安全に動物の腹部側の保温性能を高めることのできる動物用ジャケットを提供することを課題とする。
【課題を解決するための手段】
【０００９】
前述の課題を解決するため、本発明に係る動物用ジャケットは、特許請求の範囲の各請求項に記載の手段を採用する。
【００１０】
即ち、請求項１では、動物の背部側から被せられて腹部側へ巻付けられるジャケット本体を備えた動物用ジャケットにおいて、動物の腹部に当てられる覆布と覆布の端部に取付けられジャケット本体の上から動物の背部に掛渡されて覆布を吊持する吊紐とからなるジャケット補助体を備えたことを特徴とする。
【００１１】
この手段では、ジャケット補助体の覆布が動物の腹部に当てられることで、ジャケット本体の腹部側に形成される隙間を覆うことができ、動物自身の体温調節力で暖かくなるので面状発熱体が不要になる。
【００１２】
また、請求項２では、請求項１の動物用ジャケットにおいて、ジャケット本体にジャケット補助体の吊紐が動物の体長方向へずれるのを阻止する吊紐ストッパが取付けられていることを特徴とする。
【００１３】
この手段では、吊紐ストッパがジャケット補助体の吊紐のずれを阻止することで、ジャケット補助体の覆布は動物の腹部位置に正確に固定保持される。
【００１４】
また、請求項３では、請求項２の動物用ジャケットにおいて、吊紐ストッパは動物の背部付近に位置され人が手を差込める持手構造であることを特徴とする。
【００１５】
この手段では、吊紐ストッパが持手構造であることで、吊紐ストッパを、動物を運搬する際の持手として使用することができる。
【００１６】
また、請求項４では、請求項３の動物用ジャケットにおいて、吊紐ストッパはベルト状に形成され動物の体長方向へ配設されてジャケット本体に部分的に固着されていることを特徴とする。
【００１７】
この手段では、吊紐ストッパがベルト状に形成され動物の体長方向へ配設されることで、吊紐ストッパのジャケット本体への取付け強度が高くなる。
【発明の効果】
【００１８】
本発明に係る動物用ジャケットは、ジャケット補助体の覆布が動物の腹部に当てられることで、ジャケット本体の腹部側に形成される隙間を覆うことができ、面状発熱体が不要となるため、動物自身の体温調節力で安全に腹部側の体温状態を保持でき、動物の腹部側の保温性能を安定的に高めることができる効果がある。
【００１９】
さらに、請求項２として、吊紐ストッパがジャケット補助体の吊紐のずれを阻止することで、ジャケット補助体の覆布が当てられている動物の腹部に保持されるため、動物の腹部側の体温状態を安定的に保持することができる効果がある。
【００２０】
さらに、請求項３として、吊紐ストッパが持手構造であることで、吊紐ストッパを、動物を運搬する際の持手として使用することができるため、動物の運搬が容易になる効果がある。
【００２１】
さらに、請求項４として、吊紐ストッパがベルト状に形成され動物の体長方向へ配設されることで持手の位置を前後に調節でき、吊紐ストッパのジャケット本体への取付け強度が高くなるため、吊紐ストッパを使用した動物の運搬で吊紐ストッパが切断あるいは覆布から離脱するおそれがなくなる効果がある。
【図面の簡単な説明】
【００２２】
【図１】本発明に係る動物用ジャケットを実施するための形態の第１例の着用状態側面図である。
【図２】図１の要部の展開図である。
【図３】図１の他の要部の展開図である。
【図４】本発明に係る動物用ジャケットを実施するための形態の第２例の要部の展開図である。
【図５】本発明に係る動物用ジャケットを実施するための形態の第３例の着用状態の側面図である。
【発明を実施するための形態】
【００２３】
以下、本発明に係る動物用ジャケットを実施するための形態を図面に基づいて説明する。
【００２４】
図１〜図３は、本発明に係る動物用ジャケットを実施するための形態の第１例を示すものである。
【００２５】
第１例では、仔牛からなる動物Ａへの着用に好適なものを示してある。
【００２６】
第１例は、図１に示すように、ジャケット本体１，ジャケット補助体２，吊紐ストッパ３からなる。
【００２７】
ジャケット本体１は、裏側面（内側面）を展開した図２に詳細に示されるように、覆布１１，前側止紐１２，後側止紐１３，後側止具１４からなる。覆布１１は、ほぼ正方形の形状に形成されて動物Ａの背部側から被せられて腹部側へ巻付けられるもので、前側に動物Ａの頸部を避ける前部凹部１１ａが設けられ、後側に排尿，排便による汚損を避ける後部凹部１１ｂが設けられている。覆布１１の材質としては、表側面（外側面）が防水，防汚処理が施され、裏面側（内側面）に起毛処理が施され、家畜舎等で汚損することなくかなりの保温性能を発揮することができるものが選択されている。前側止紐１２は、面ファスナからなるもので、覆布１１の前部側に取付けられ覆布１１の前部凹部１１ａに収容された動物Ａの頸部に掛渡されることで、覆布１１の前部側を着用させた動物Ａに固定する。なお、前側止紐１２については、例えば、帯状の雄の面ファスナの本体部１２ａと片状の雌の面ファスナの受部１２ｂとで構成される。後側止紐１３は、ゴムベルトからなるもので、覆布１１の前部側に取付けられ動物Ａの後足に掛渡されることで、覆布１１の後部側を着用させた動物Ａに固定する。後側止具１４は、後側止紐１３の先端部に取付けられた雄部１４ａと覆布１１の後側止紐１３よりも少し前部側に取付けられた雌部１４ｂとの差込み着脱可能なバックルからなるもので、動物Ａの後足に掛渡された後側止紐１３を保持，解除する。
【００２８】
ジャケット補助体２は、裏側面（内側面）を展開した図３に詳細に示されるように、覆布２１，止紐２２，止具２３からなる。覆布２１は、ほぼ長方形の形状に形成されて動物の腹部側へジャケット本体１の覆布１１の上から当てられるもので、排尿，排便による汚損を避け心臓に近い部分を覆うようになっている。止紐２２は、強靱なベルトからなるもので、覆布１１の両側部に取付けられジャケット本体１の覆布１１の上から動物Ａの背部に吊持するように掛渡されることで、覆布２１を動物Ａの腹部に固定する。止具２３は、止め位置調整が可能なバックルからなるもので、一方の止紐２２の端部に取付けられて動物Ａの腹部に固定された覆布２１を保持，解除する。
【００２９】
吊紐ストッパ３は、強靱なベルトからなるもので、ジャケット本体１の覆布１１の表側面（外側面）の動物Ａの背部に位置して動物Ａの体長方向へ配設されて取付けられている。この吊紐ストッパ３は、図１に示すように、一部がジャケット本体１の覆布１１に逢着等で固定され、固着部分３１を除いてジャケット補助体２の止紐２２の幅よりも広く人の手を差込むことのできる持手３２となっている。
【００３０】
第１例によると、ジャケット補助体２の覆布２１が動物Ａの腹部に当てられることで、ジャケット本体１の覆布１１の動物Ａの腹部側に形成される隙間を覆うことができる。従って、特許文献１に記載のような面状発熱体を使用しなくても、安全に動物Ａの腹部側の保温性能を高めることができる。
【００３１】
ジャケット補助体２の着用の際には、ジャケット補助体２の止紐２２を吊紐ストッパ３の持手３２に通すことで、ジャケット補助体２の吊紐２２が動物Ａの体長方向へずれるのを阻止することができる。従ってジャケット補助体２の覆布２２が当てられている動物Ａの腹部に保持されるため、動物Ａの腹部側の保温性能を安定的に高めることができる。
【００３２】
さらに、吊紐ストッパ３の持手３２を使用して動物Ａを持上げるようにして運搬すると、動物の運搬が容易となる。このとき、吊紐ストッパ３がベルト状に形成され動物Ａの体長方向へ配設され、吊紐ストッパ３のジャケット本体１の覆布１１への取付け強度が高くなっていることから、吊紐ストッパ３を使用した動物Ａの運搬の際に吊紐ストッパ３が切断あるいは覆布１１から離脱するおそれはない。また、ジャケット補助体２がジャケット本体１を外側から結束している格好となっているため、吊紐ストッパ３を使用した動物Ａの運搬の際ジャケット本体１が動物Ａから離脱するおそれもないので動物Ａに不要の怪我を与えるおそれもない。
【００３３】
図４は、本発明に係る動物用ジャケットを実施するための形態の第２例を示すものである。
【００３４】
第２例は、第１例の吊紐ストッパ３を２列設けている。
【００３５】
第２例によると、吊紐ストッパ３によるジャケット補助体２の吊紐２２のずれ止めが２箇所でなされるため、吊紐ストッパ３のずれ止め機能がより高くなる。
【００３６】
さらに、動物Ａの運搬の際に、動物の両側から２人の人間で吊紐ストッパ３の持手３２を使用することができ、動物の運搬がより容易になる。
【００３７】
図４は、本発明に係る動物用ジャケットを実施するための形態の第３例を示すものである。
【００３８】
第３例は、第１例の吊紐ストッパ３を動物Ａの脇腹付近にも位置させている。
【００３９】
第３例によると、吊紐ストッパ３によるジャケット補助体２の吊紐２２のずれ止めが離れた３箇所でなされるため、吊紐ストッパ３のずれ止め機能がより高くなる。
【００４０】
さらに、動物Ａの運搬の際に、動物の両側から２人の人間で両手の持手位置を変えて吊紐ストッパ３の持手３２を使用することができ、やや大型の動物の運搬がより容易になる。
【産業上の利用可能性】
【００４１】
本発明に係る動物用ジャケットは、仔牛以外の家畜やペット等の広範な動物に適用が可能である。
【符号の説明】
【００４２】
１            ジャケット本体
２            ジャケット補助体
２１          覆布
２２          吊紐
３            吊紐ストッパ
Ａ            動物
【図１】
2016131532.tif 000003
【図２】
2016131532.tif 000004
【図３】
2016131532.tif 000005
【図４】
2016131532.tif 000006
【図５】
2016131532.tif 000007